(57)【要約】【課題】特定の情報記録層に安定的にＢＣＡを形成することができる多層光学的情報記録媒体及びその作成方法及び光学的情報記録方法を提供する。【解決手段】光学的情報記録媒体の作成方法は、第１作成ステップと、第２作成ステップと、記録ステップと、貼り合わせステップとを具備する。光学的情報記録媒体は、同一の入射面からレーザ光が入射されて情報が記録される多層の情報記録層を備える。情報記録層は、記録トラックを有して情報が記録される光学的情報記録領域と、光学的情報記録領域の内周側の所定の半径位置に設定されるバーストカットエリア用領域とを備える。第１作成ステップは、多層の情報記録層のうちの第１の情報記録層を第１の基板に積層する。第２作成ステップは、多層の情報記録層のうちの第２の情報記録層を第２の基板に積層する。記録ステップは、バーストカット用領域を結晶化させる。貼り合わせステップは、第１の基板と第２の基板とを貼り合わせる。【選択図】図４
2007305200.tif 000002
【特許請求の範囲】
【請求項１】
多層の情報記録層のうちの第１の情報記録層を第１の基板に積層する第１作成ステップと、前記多層の情報記録層の各々は、同一の入射面からレーザ光が入射されて情報が記録され、前記情報記録層は、記録トラックを有して情報が記録される光学的情報記録領域と、前記光学的情報記録領域の内周側の所定の半径位置に設定されるバーストカットエリア用領域とを備え、
前記多層の情報記録層のうちの第２の情報記録層を第２の基板に積層する第２作成ステップと、
前記バーストカット用領域を結晶化する記録ステップと、
前記第１の基板と前記第２の基板とを貼り合わせる貼り合わせステップと
を具備する
光学的情報記録媒体の作成方法。
【請求項２】
前記記録ステップは、前記第２の情報記録層のバーストカットエリア用領域を部分的に結晶化することによりバーストカット情報を記録してバーストカットエリアを形成するＢＣＡ形成ステップを有する
請求項１に記載の光学的情報記録媒体の作成方法。
【請求項３】
前記記録ステップは、前記第１の情報記録層のバーストカットエリア用領域を全域的に結晶化する初期化ステップを有する
請求項１または請求項２に記載の光学的情報記録媒体の作成方法。
【請求項４】
前記記録ステップは、前記第１の情報記録層のバーストカットエリア用領域を全域的に結晶化する初期化ステップを有し、
前記貼り合わせステップにおいて前記第１の基板と前記第２の基板とを貼り合わせた後に、前記第２の情報記録層のバーストカットエリア用領域にバーストカット情報を記録してバーストカットエリアを形成するＢＣＡ形成ステップをさらに具備する
請求項１に記載の光学的情報記録媒体の作成方法。
【請求項５】
相変化記録膜を含み、
同一の入射面からレーザ光が入射されて情報を記録する光学的情報記録領域と、
前記光学的情報記録領域の内周側の所定の半径位置に設定されるバーストカットエリア用領域と
を備える情報記録層を複数具備し、
前記複数の情報記録層のうちの少なくとも１つの情報記録層は、予め結晶化された前記バーストカットエリア用領域を備える
光学的情報記録媒体。
【請求項６】
前記複数の情報記録層のうちの第１の情報記録層は、予め全域的に結晶化された前記バーストカットエリア用領域を備える
請求項５に記載の光学的情報記録媒体。
【請求項７】
前記複数の情報記録層のうちの第２の情報記録層は、前記バーストカットエリア用領域に個体を識別可能なバーストカット情報が記録される
請求項５または請求項６に記載の光学的情報記録媒体。
【請求項８】
前記複数の情報記録層は、
個体を識別可能なバーストカット情報が前記バーストカットエリア用領域に記録されていない第１の情報記録層と、
個体を識別可能な前記バーストカット情報が前記バーストカットエリア用領域に予め記録された第２の情報記録層と
を中間層を介して貼り合わせて作成される
請求項５に記載の光学的情報記録媒体。
【請求項９】
多層の情報記録層のうちの第１の情報記録層のバーストカットエリア用領域を全域的に結晶化する初期化ステップと、前記多層の情報記録層は、同一の入射面からレーザ光が入射されて情報が記録され、前記情報記録層は、記録トラックを有して情報が記録される光学的情報記録領域と、前記光学的情報記録領域の内周側の所定の半径位置に設定される前記バーストカットエリア用領域とを備え、
前記初期化ステップの後に前記多層の情報記録層のうちの第２の情報記録層の前記バーストカットエリア用領域にバーストカット情報を記録してバーストカットエリアを形成するＢＣＡ形成ステップと
を具備する
光学的情報記録媒体の作成方法。
【請求項１０】
前記第１の情報記録層を第１の基板に積層する第１作成ステップと、
前記第２の情報記録層を第２の基板に積層する第２作成ステップと、
前記結晶化ステップにより結晶化された前記バーストカットエリア用領域を有する前記第１の基板と、前記第２の基板とを貼り合わせる貼り合わせステップと
をさらに具備する
請求項９に記載の光学的情報記録媒体の作成方法。
【請求項１１】
前記第１の情報記録層を第１の基板に積層する第１作成ステップと、
前記第２の情報記録層を第２の基板に積層する第２作成ステップと、
前記第１の基板と前記第２の基板とを貼り合わせる貼り合わせステップと
をさらに具備し、
前記結晶化ステップは、前記貼り合わせステップにより貼り合わせた後の前記第１の基板の前記第１の情報記録層の前記バーストカットエリア用領域を全域的に結晶化するステップを含む
請求項９に記載の光学的情報記録媒体の作成方法。
【請求項１２】
前記結晶化ステップは、前記第１の情報記録層の前記バーストカットエリア用領域に記録された情報を全域的に結晶化することにより消去するステップを備える
請求項１１に記載の光学的情報記録媒体の作成方法。
【請求項１３】
相変化記録膜を含み、
同一の入射面からレーザ光が入射されて情報を記録する光学的情報記録領域と、
前記光学的情報記録領域の内周側の所定の半径位置に設定されるバーストカットエリア用領域と
を備える情報記録層を複数具備し、
前記複数の情報記録層のうちの第１の情報記録層は、全域的に結晶化された前記バーストカットエリア用領域を備え、
前記複数の情報記録層のうちの第２の情報記録層は、個体を識別可能なバーストカット情報が記録されてバーストカットエリアが形成された前記バーストカットエリア用領域を備える
光学的情報記録媒体。
【請求項１４】
前記多層の情報記録層のうちの前記第２の情報記録層を除く全ての情報記録層の前記バーストカットエリア用領域は、予め全域的に結晶化され、
前記第２の情報記録層の前記バーストカットエリア用領域は、前記入射面から入射されるレーザ光により個別にバーストカット情報を記録され、前記バーストカットエリアを形成する
請求項１３に記載の光学的情報記録媒体。
【請求項１５】
前記第１の情報記録層の前記バーストカットエリア用領域に記録されている情報を前記入射面から入射されるレーザ光によって全域的に結晶化して消去した後、
前記第２の情報記録層の前記バーストカットエリア用領域に前記入射面から入射されるレーザ光により個別にバーストカット情報を記録して、前記バーストカットエリアを形成する
請求項１３に記載の光学的情報記録媒体。
【発明の詳細な説明】
【技術分野】
【０００１】
本発明は、レーザ光照射により情報の記録、再生が行われる光学的情報記録媒体、および、その作成方法に関し、特にバーストカットエリア（ＢＣＡ）を有する光学的情報記録媒体、および、その作成方法に関する。
【背景技術】
【０００２】
レーザ光照射により情報の記録あるいは再生を行う光学的情報記録媒体として光ディスクが広く普及している。光ディスクには、予めエンボス状のピット列が形成された再生専用のＣＤ−ＲＯＭやＤＶＤ−ＲＯＭ、一度だけデータの記録ができるＣＤ−ＲやＤＶＤ−Ｒ、書き換えが可能なＣＤ−ＲＷ、ＤＶＤ−ＲＷ、ＤＶＤ−ＲＡＭなどがある。
【０００３】
これらの光ディスクは、透明基板を通して情報記録層に集光スポットを照射して情報の記録あるいは再生を行う構成となっている。情報記録層には、スパイラル状の記録トラックに沿ってピット列やグルーブが形成されている。
【０００４】
このような光ディスクにおいて、スパイラル状の記録トラック以外に光ディスク装置の集光スポットによって再生可能な情報を有する領域として、バーストカットエリア（ＢＣＡ）と呼ばれる領域が存在する場合がある。ＢＣＡ１０１は、図１（ａ）に示されるように、光学的情報記録媒体１の内周側の所定の半径位置に設けられる。ＢＣＡ１０１には、半径方向に伸びた低反射率の線分が円周状に所定の間隔で配置され、情報内容によりパターン化されたデータが記録されている。ＢＣＡは、いわば一般に使われるバーコードを円周状に配設したような構造を有している。ＢＣＡ１０１は、円周上のすべてに形成されていても良いし、図１（ａ）に示されるように、円周の一部分にのみ形成されていても良い。ＢＣＡには、光学的情報記録媒体の種別（ＲＯＭ、追記、あるいは書き換え可能）、著作権管理番号等の情報が記録される。
【０００５】
図１（ｂ）に、ＢＣＡ１０１の一部分Ａが拡大されて示される。多層光学的情報記録媒体上の定められた半径位置範囲の円周上に低反射率の線分１０１ａが所定の間隔で複数本並べられる。この線分１０１ａは、半径方向に均一の長さＬを有し、円周上に所定のパターンを形成している。このＢＣＡ１０１には、集光スポットｅが追従するべきトラックが無い。そのため、光ディスク装置は、フォーカスサーボのみをかけた状態でＢＣＡ１０１の情報を再生する。したがって、集光スポットｅは、ディスクの回転に沿って矢印Ｓに示される方向にＢＣＡ１０１上を円周方向に走査する。この時、低反射率の線分１０１ａおよび高反射率の部分１０１ｂにより形成されたパターンに依存して反射光量が変動し、信号として観測される。この信号に基づいて、前述した光学的情報記録媒体に記録されたＢＣＡ１０１に係る情報が再生できるようになっている。
【０００６】
ピットによる情報記録の場合と比較してみると、ＢＣＡにおける情報記録の利点は、光学的情報記録媒体の製造後にディスク一枚ごとに情報記録が可能であることである。例えば、著作権管理番号を光学的情報記録媒体に付すことができる。この場合、ＢＣＡの形成手段として、例えば、再生専用（ＲＯＭ）の光学的情報記録媒体では、情報記録層に形成される金属反射膜が強力なレーザ照射によって除去され、これによって低反射率部分が作成される。この手法では、ピットに比べると、形成可能なパターンの間隔はかなり大きなものとなる。例えば、低反射率部分１０１ａの幅は、１０μｍ程度が現実的な値であり、最も幅のあるパターン間隔は、１００μｍ以上とされることが多い。
【０００７】
ところで、最近では、１つの光入射面から２層の情報記録層に記録再生できる光ディスクが広く実用化されている。図２に、２層光学的情報記録媒体の断面の例が示される。この図２に示される多層光学的情報記録媒体１には、入射面１Ａからの集光ビームによって再生される二つの情報記録層、即ち、第０情報記録層１０と第１情報記録層１１とが形成されている。各情報記録層は、記録可能な光学的情報記録膜を有しており、相変化記録膜を含む多層薄膜からなる。
【０００８】
第０情報記録層１０と第１情報記録層１１との間隔は、光学的情報記録媒体１の素材である透明基板１４を透過する集光ビームの収差が大きく変化しない範囲が望ましい。したがって、例えば、ＤＶＤ−ＲＯＭにおいては、５０μｍ前後に設定されている。この時、第１情報記録層１１に集光スポットを形成したときの第０情報記録層１０における集光ビームの直径は約４０μｍとなる。これは、先に述べたＢＣＡ１０１のパターンと同一オーダの大きさとなっている。
【０００９】
したがって、第０情報記録層１０、第１情報記録層１１の両方にＢＣＡを形成すると、一方の情報記録層に集光スポットを形成した時、他方の情報記録層のＢＣＡのパターンによる集光ビームの変動が無視出来ないレベルになる。これを避けるために、ＢＣＡはどちらか一方の層のみに形成される。
【００１０】
この場合、ＢＣＡが形成されている層を予め第０記録層あるいは第１記録層に決めておくことにより、記録装置あるいは再生装置が媒体の識別に要する時間を短縮することができるという利点が生じる。ＢＣＡが形成されている記録層が分からない場合には、第０記録層１０および第１記録層１１の両方を再生しなければならないが、予め分かっている場合には、ＢＣＡが形成されている記録層のみを再生することによって短時間のうちにＢＣＡに係る情報を再生することが可能となる。
【００１１】
２層の情報記録層を有するＲＯＭ媒体は、第１情報記録層１１に金属反射膜を備え、再生される信号振幅が確保される。このＲＯＭ媒体にＢＣＡを形成する場合、図３（ａ）に示されるように、情報の再生を行う光入射面１Ａとは反対側の入射面１ＢからＢＣＡ形成用のレーザ光が入射される。ＢＣＡ形成用のレーザ光は、第１情報記録層に存在する金属反射膜を除去し、ＢＣＡが形成される。第１情報記録層１１の再生は、図３（ｂ）に示されるように、第０情報記録層１０を通して行われる。したがって、再生される信号振幅を確保するために第１情報記録層１１の反射率を十分に高くしておく必要がある。そのため、通常、第１情報記録層１１に形成される金属反射膜は透過率が１０％以下となる膜厚を有している。
【００１２】
第０情報記録層１０の透過率をＴ０、第１情報記録層１１単独での反射率をＲ１とすると、第０情報記録層１０を通した第１情報記録層１１の反射率Ｒは、Ｒ＝Ｒ１×Ｔ０２となる。第０情報記録層１０の透過率Ｔ０を５０％とすると、Ｒ＞１５％を実現するには、Ｒ１＞６０％でなければならない。例えば、Ａｇ反射膜で反射率６０％を得るには５０ｎｍ程度の膜厚が必要であり、その場合の透過率は１０％程度である。したがって、第１情報記録層１１側からレーザ光を入射した場合、レーザ光は第１情報記録層１１をほとんど透過しない。第０情報記録層１０からの反射光は検出されず、確実に第１情報記録層１１にフォーカスサーボをかけることができる。
【００１３】
一方、記録可能な光学的情報記録媒体では、金属反射膜の除去ではなく、実際に情報を記録するときと同じように、相変化薄膜にレーザ光が照射され、相変化薄膜の光学特性が変化することによってＢＣＡ形成が行われる。ＲＯＭ媒体では、情報記録層が単独の金属薄膜であるため、レーザ光により金属薄膜が除去され、ＢＣＡを形成することが可能である。しかし、記録可能な光学的情報記録媒体では、情報記録層が多層薄膜により形成されている。そのため、レーザ光照射により多層薄膜を全てきれいに除去することは困難である。すなわち、記録可能な光学的情報記録媒体におけるＢＣＡ形成は、通常の記録に似た方式で行う必要がある。
【００１４】
ＲＯＭ媒体では、ＢＣＡ形成時、第１情報記録層１１側からレーザ光が入射される。したがって、確実に第１記録層にレーザ光を集光することが可能である。一方、記録可能な多層光学的情報記録媒体にＢＣＡを形成するためには、第０情報記録層１０側からレーザ光を入射する必要がある。この理由は次の通りである。第１情報記録層１１には透過率の低い金属反射膜が存在しているため、第１情報記録層１１側から入射されるレーザ光は、金属反射膜を透過しにくい。したがって、相変化膜の温度を上昇させて光学特性を変化させるほどのレーザ光が透過しない。したがって、透過率の高い第０情報記録層側１０からレーザ光を照射して第１情報記録層１１を形成している相変化記録膜の温度を上昇させ、ＢＣＡを形成しなければならない。
【００１５】
しかしながら、第０情報記録層１０側からレーザ光を入射した場合、必ずしも第１情報記録層１１にレーザ光が集光されるとは限らない。ＲＯＭ媒体は第１情報記録層１１の透過率が非常に低いため、第１情報記録層１１側からレーザ光を入射した場合には、図３（ｃ）に示されるように、Ｓ字カーブと呼ばれるフォーカスエラー信号７の変化が１つしか観測されない。これに対して、記録可能な多層光学的情報記録媒体では、第０情報記録層１０側からレーザ光を入射した場合には、図３（ｄ）に示されるように、第０情報記録層１０による変化と第１情報記録層１１による変化との２つのＳ字カーブ８が観測されることになる。２つ存在するＳ字カーブのうち、第１情報記録層１１から得られるＳ字カーブを利用して、レーザ光が第１情報記録層１１に集光（フォーカス）するように制御される。しかし、第０情報記録層１０から得られるＳ字カーブが存在しているために、レーザ光が第０情報記録層１０に誤って集光されてしまう場合がある。レーザ光が第０情報記録層１０に誤って集光された場合、ＢＣＡは第０情報記録層１０に形成されてしまう。ＢＣＡが誤って第０情報記録層１０に形成された多層光学的情報記録媒体は、不良品であり、使用できなくなる。
【００１６】
第０情報記録層１０にＢＣＡが形成される場合であっても同じように、第０情報記録層１０にフォーカスサーボをかけなければならない。しかし、第１情報記録層１１に誤ってフォーカスサーボがかかってしまい、ＢＣＡが意図せず第１情報記録層１１に形成されてしまう可能性がある。
【００１７】
【特許文献１】国際公表特許Ｗ０２００２／０３７４８３号公報
【特許文献２】特開２００５−１３５５６９号公報
【特許文献３】特開２００２−３１３０３１号公報
【発明の開示】
【発明が解決しようとする課題】
【００１８】
前述のように、ＢＣＡが形成される層を予め決めておくと、媒体識別時間が短縮できるという利点がある。しかし、記録可能な多層光学的情報記録媒体では、特定の情報記録層に確実にＢＣＡを形成することが困難である。誤って異なる情報記録層にＢＣＡが形成された多層光学的情報記録媒体は、不良品になる。
【００１９】
本発明の目的は、特定の情報記録層に安定的にＢＣＡを形成することができる多層光学的情報記録媒体及びその作成方法及び光学的情報記録方法を提供することにある。
【課題を解決するための手段】
【００２０】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００２１】
本発明の観点では、光学的情報記録媒体の作成方法は、第１作成ステップと、第２作成ステップと、記録ステップと、貼り合わせステップとを具備する。光学的情報記録媒体（１）は、同一の入射面（１Ａ）からレーザ光が入射されて情報が記録される多層の情報記録層（１０、１１）を備える。情報記録層（１０、１１）の各々は、記録トラックを有して情報が記録される光学的情報記録領域（２０）と、光学的情報記録領域（２０）の内周側の所定の半径位置に設定されるバーストカットエリア用領域（２２）とを備える。第１作成ステップは、多層の情報記録層のうちの第１の情報記録層（１０）を第１の基板（１４）に積層する。第２作成ステップは、多層の情報記録層のうちの第２の情報記録層（１１）を第２の基板（１６）に積層する。記録ステップは、バーストカット用領域（２２）を部分的あるいは全域的に結晶化する。貼り合わせステップは、第１の基板（１４）と第２の基板（１６）とを貼り合わせる。
【００２２】
本発明の記録ステップは、第２の情報記録層（１１）のバーストカットエリア用領域（２２）を部分的に結晶化することにより、バーストカット情報を記録してバーストカットエリア（１０１）を形成するＢＣＡ形成ステップを有する。また、本発明の記録ステップは、第１の情報記録層（１０）のバーストカットエリア用領域（２２）を全域的に結晶化する初期化ステップを有してもよい。
【００２３】
また、本発明の記録ステップは、第１の情報記録層（１０）のバーストカットエリア用領域を全域的に結晶化する初期化ステップを有する。初期化ステップの後に、貼り合わせステップにおいて、第１の基板（１０）と第２の基板（１１）とが貼り合わされる。その後に、ＢＣＡ形成ステップにおいて、第２の情報記録層（１１）のバーストカットエリア用領域（２２）にバーストカット情報が記録され、バーストカットエリア（１０１）が形成される。
【００２４】
本発明の他の観点では、光学的情報記録媒体（１）は、複数の情報記録層（１０、１１）を具備する。情報記録層（１０、１１）は、相変化記録膜を含み、光学的情報記録領域（２０）と、バーストカットエリア用領域（２２）とを備える。光学的情報記録領域（２０）は、同一の入射面からレーザ光が入射されて情報を記録する。バーストカットエリア用領域（２２）は、光学的情報記録領域（２０）の内周側の所定の半径位置に設定される。複数の情報記録層（１０、１１）のうちの少なくとも１つの情報記録層は、予め結晶化されたバーストカットエリア用領域（２２）を備える。
【００２５】
本発明の光学的情報記録媒体（１）は、複数の情報記録層のうちの第１の情報記録層（１０）は、予め全域的に結晶化されたバーストカットエリア用領域（２２）を備える。また、複数の情報記録層のうちの第２の情報記録層（１１）は、バーストカットエリア用領域（２２）に個体を識別可能なバーストカット情報が記録される。すなわち、第２の情報記録層（１１）は、バーストカットエリア（１０１）を備えてもよい。
【００２６】
本発明の光学的情報記録媒体では、複数の情報記録層（１０、１１）は、第１の情報記録層（１０）と第２の情報記録層（１１）とを中間層を介して貼り合わせて作成される。第１の情報記録層（１０）は、個体を識別可能なバーストカット情報がバーストカットエリア用領域（２２）に記録されていない。第２の情報記録層（１１）は、個体を識別可能なバーストカット情報がバーストカットエリア用領域（１１）に予め記録されている。
【００２７】
また、本発明の他の観点では、光学的情報記録媒体の作成方法は、初期化ステップと、ＢＣＡ形成ステップとを具備する。光学的情報記録媒体（１）は、同一の入射面からレーザ光が入射されて情報が記録される多層の情報記録層（１０、１１）を備える。情報記録層（１０、１１）は、記録トラックを有して情報が記録される光学的情報記録領域（２０）と、光学的情報記録領域の内周側の所定の半径位置に設定されるバーストカットエリア用領域（２２）とを備える。初期化ステップは、多層の情報記録層のうちの第１の情報記録層（１０）のバーストカットエリア用領域（２２）を全域的に結晶化する。ＢＣＡ形成ステップは、初期化ステップの後に、多層の情報記録層のうちの第２の情報記録層（１１）のバーストカットエリア用領域（２２）にバーストカット情報を記録してバーストカットエリア（１０１）を形成する。
【００２８】
本発明の光学的情報記録媒体の作成方法は、さらに、第１作成ステップと、第２作成ステップと、貼り合わせステップとを具備する。第１作成ステップでは、第１の情報記録層（１０）が第１の基板（１４）に積層される。第２作成ステップでは、第２の情報記録層（１１）が第２の基板（１６）に積層される。貼り合わせステップでは、結晶化ステップにより結晶化されたバーストカットエリア用領域（２２）を有する第１の基板（１４）と、第２の基板（１６）とが貼り合わされる。
【００２９】
また、本発明の光学的情報記録媒体の作成方法は、さらに、第１作成ステップと、第２作成ステップと、貼り合わせステップとを具備する。第１作成ステップでは、第１の情報記録層（１０）が第１の基板（１４）に積層される。第２作成ステップでは、第２の情報記録層（１１）が第２の基板（１６）に積層される。貼り合わせステップでは、第１の基板（１４）と第２の基板（１６）とが貼り合わされる。結晶化ステップは、貼り合わせステップにより貼り合わせた後の第１の基板（１４）の第１の情報記録層（１０）のバーストカットエリア用領域（２２）を全域的に結晶化するステップを含む。
【００３０】
本発明の結晶化ステップは、第１の情報記録層（１０）のバーストカットエリア用領域（２２）に記録された情報を全域的に結晶化することにより消去するステップを備えてもよい。すなわち、第１の情報記録層（１０）に誤記録された情報を消去することが可能となる。
【００３１】
さらに、本発明の他の観点では、光学的情報記録媒体（１）は、多層の情報記録層（１０、１１）を具備する。情報記録層（１０、１１）は、相変化記録膜を含み、光学的情報記録領域（２０）と、バーストカットエリア用領域（２２）とを備える。光学的情報記録領域（２０）は、同一の入射面からレーザ光が入射されて情報を記録する。バーストカットエリア用領域（２２）は、光学的情報記録領域（２０）の内周側の所定の半径位置に設定される。複数の情報記録層（１０、１１）のうちの第１の情報記録層（１０）は、全域的に結晶化されたバーストカットエリア用領域（２２）を備える。複数の情報記録層のうちの第２の情報記録層（１１）は、個体を識別可能なバーストカット情報が記録されてバーストカットエリア（１０１）が形成されたバーストカットエリア用領域（２２）を備える。
【００３２】
本発明の光学的情報記録媒体（１）では、多層の情報記録層のうちの第２の情報記録層（１１）を除く全ての情報記録層（１０）のバーストカットエリア用領域（２２）は、予め全域的に結晶化され、バーストカット情報が記録されないようになっている。第２の情報記録層（１１）のバーストカットエリア用領域（２２）は、入射面から入射されるレーザ光により個別にバーストカット情報を記録され、バーストカットエリア（１０１）が形成される。
【００３３】
また、本発明の光学的情報記録媒体（１）では、第１の情報記録層（１０）のバーストカットエリア用領域（２２）に記録されている情報を入射面（１Ａ）から入射されるレーザ光によって全域的に結晶化して消去する。その後、第２の情報記録層（１１）のバーストカットエリア用領域（２２）に入射面（１Ａ）から入射されるレーザ光により、個別にバーストカット情報が記録され、バーストカットエリア（１０１）が形成される。
【発明の効果】
【００３４】
本発明によれば、多層光学的情報記録媒体の特定の情報記録層に安定的にＢＣＡを形成することができる多層光学的情報記録媒体及びその作成方法及び光学的情報記録方法を提供することができる。
【００３５】
また、本発明によれば、ＢＣＡが形成された記録可能な多層光学的情報記録媒体の良品率が向上し、記録あるいは再生装置における媒体識別時間が短縮される多層光学的情報記録媒体及びその作成方法及び光学的情報記録方法を提供することができる。
【発明を実施するための最良の形態】
【００３６】
以下、本発明の最良の実施形態を、添付図面を参照して説明する。
多層光学的情報記録媒体は、スパイラル状の記録トラック以外にレーザ光の集光スポットにより再生可能な情報を有する領域として、バーストカットエリア（ＢＣＡ）と呼ばれる領域がある。ＢＣＡ１０１は、図１（ａ）に示されるように、光学的情報記録媒体１の内周側の所定の半径位置に設けられる。ＢＣＡ１０１には、半径方向に伸びた低反射率の線分が円周状に所定の間隔で配置され、情報内容によりパターン化されたデータが記録されている。ＢＣＡは、いわば一般に使われるバーコードを円周状に配設したような構造を有している。ＢＣＡ１０１は、円周上のすべてに形成されていても良いし、図１（ａ）に示されるように、円周の一部分にのみ形成されていても良い。ＢＣＡには、光学的情報記録媒体の種別（ＲＯＭ、追記、あるいは書き換え可能）、著作権管理番号等の情報が記録される。
【００３７】
また、ＢＣＡ１０１が付された半径領域ではトラックサーボがかけられないので、ＢＣＡ１０１の半径方向の幅（ＢＣＡを構成する低反射率の各線分１０１ａの長さＬ）は、記録トラック２の偏心量にくらべて十分大きな幅、たとえば、１ｍｍ程度の幅、を持つように設定されている。
【００３８】
図１（ｂ）に、ＢＣＡ１０１の一部分が拡大されて示される。多層光学的情報記録媒体上の定められた半径位置範囲の円周上に低反射率の線分１０１ａが所定の間隔で複数本並べられる。この線分１０１ａは、半径方向に均一の長さＬを有し、円周上に所定のパターンを形成している。このＢＣＡパターンは前述した従来例におけるＢＣＡパターンと同じ方法で形成されている。このＢＣＡパターンでは、ほぼ一定の幅を持つ低反射率の線分１０１ａの相互の間隔を変化させることで、情報信号が記録されている。この方法は、レーザ照射によって低反射率の線分１０１ａを形成する場合は、照射の位置を変えて同じ低反射率の線分１０１ａを形成すれば良いことから、製造が容易となる。この場合、低反射率部分１０１ａおよび高反射率部分１０１ｂの幅を任意に変えて情報を記録するようにしてもよい。
【００３９】
このＢＣＡ１０１には、集光スポットｅが追従するべきトラックが無い。そのため、光ディスク装置は、フォーカスサーボのみをかけた状態でＢＣＡ１０１の情報を再生する。したがって、集光スポットｅは、ディスクの回転に沿って矢印Ｓに示される方向にＢＣＡ１０１上を円周方向に走査する。この時、低反射率の線分１０１ａにより形成されたパターンに依存して反射光量が変動し、信号として観測される。この信号に基づいて、前述した光学的情報記録媒体に記録されたＢＣＡ１０１に係る情報が再生できるようになっている。
【００４０】
図２に、本発明の実施の形態に係る多層光学的情報記録媒体の断面の一部分が示される。多層光学的情報記録媒体１は、同一の光入射面からアクセスされる情報記録層を複数層有している。本実施の形態では、図２に示されるように、２層の情報記録層を有する媒体を例に説明する。すなわち、多層光学的情報記録媒体１は、透明部材を素材とした基板１４、１６の間に中間層１５を挟んで２層の情報記録層を有する。２層の情報記録層は、光入射面１Ａの側から順に第０情報記録層１０（上位記録層、Ｌ０層）、第１情報記録層１１（下位記録層、Ｌ１）とする。第０情報記録層１０および第１情報記録層１１は、多層薄膜からなっており、例えば、少なくとも誘電体膜、相変化膜、反射膜とを有している。
【００４１】
第０情報記録層１０および第１情報記録層１１には、案内溝を備える所定のデータ記録領域２０が設けられる。第０情報記録層１０および第１情報記録層１１のデータ記録領域２０の内周側で、かつ、所定の半径位置における同一半径幅の領域が、バーストカットエリア（ＢＣＡ）用領域２２として設定される。第１情報記録層１１のＢＣＡ用領域２２にバーストカットエリア１０１が設けられる。これに対応する第０情報記録層１０のＢＣＡ用領域２２は、ミラー領域になる（ＢＣＡ対向領域１０２と称する）。ここで情報記録領域２０は、光ディスク装置が記録あるいは再生するべき情報が存在する範囲を示すものである。
【００４２】
ＢＣＡパターンの形成は、ＤＶＤ−ＲＷやＤＶＤ−ＲＡＭなどの相変化光ディスクの初期化装置を用いて形成することが可能である。この初期化装置から照射されるレーザ光は、ディスク半径方向に５０μｍ程度、ディスク回転方向に１μｍ程度の集光ビーム形状を有しており、レーザ光を半径方向に数十μｍ程度ずらしながら照射することにより、１ｍｍ幅程度のＢＣＡを短時間に形成することができる。
【００４３】
一般に相変化記録膜は、成膜直後、非晶質状態である。ＢＣＡパターンの記録は、相変化記録膜を部分的に結晶化させることにより行われる。しかしながら、前述したように、記録可能な多層光学的情報記録媒体へのＢＣＡパターン形成は、第０情報記録層側からレーザ光を照射して行う。第０情報記録層側からレーザ光が照射されると、Ｓ字カーブが複数観測されるため、所望の記録層（ここでは第１情報記録層１１とする）とは異なる記録層（ここでは第０情報記録層１０とする）にＢＣＡパターンが形成されることがある。
【００４４】
本発明に係る多層光学的情報記録媒体１は、以下に説明される方法のうちのいずれかの方法を用いてＢＣＡパターンが形成される。
【００４５】
（１）貼り合わせの前にＢＣＡパターンを形成する方法：
図４に示されるように、基板１４上に第０情報記録層１０が形成され（ステップＳ１０）、基板１６上に第１情報記録層１１が形成される（ステップＳ１１）。第１情報記録層１１にＢＣＡパターンが記録される（ステップＳ１４）。基板１４上に形成された第０情報記録層１０と基板１６上に形成された第１情報記録層１１が中間層１５を介して貼り合わされる（ステップＳ１６）。その後、第０情報記録層１０および第１情報記録層１１のデータ記録領域２０の初期化が行われる（ステップＳ１９）。この方法では、貼り合わせを行う前にＢＣＡパターンが形成されるため、ＢＣＡパターンが第０情報記録層１０に誤って形成されることはない。
【００４６】
（２）一方の層を結晶化して貼り合わせ、その後ＢＣＡパターンを形成する方法：
図５に示されるように、基板１４上に第０情報記録層１０が形成され（ステップＳ２０）、基板１６上に第１情報記録層１１が形成される（ステップＳ２１）。第０情報記録層のバーストカットエリア用領域２２が結晶化される（ステップＳ２４）。基板１４上に形成された第０情報記録層１０と基板１６上に形成された第１情報記録層１１が中間層１５を介して貼り合わされる（ステップＳ２６）。第１情報記録層１１に設定されるＢＣＡ１０１にＢＣＡパターンが形成される（ステップＳ２８）。その後、第０情報記録層１０および第１情報記録層１１のデータ記録領域２０の初期化が行われる（ステップＳ２９）。この方法では、ＢＣＡパターンを記録するとき、第０情報記録層１０のバーストカットエリア用領域２２（ＢＣＡ対向領域）は、既に結晶化されている。そのため、フォーカスサーボが第０情報記録層１０に誤って投入されても、第０情報記録層１０にＢＣＡパターンが形成されることはない。
【００４７】
（３）貼り合わせ後に一方の層を結晶化してからＢＣＡパターンを形成する方法：
図６に示されるように、基板１４上に第０情報記録層１０が形成され（ステップＳ３０）、基板１６上に第１情報記録層１１が形成される（ステップＳ３１）。基板１４上に形成された第０情報記録層１０と基板１６上に形成された第１情報記録層１１が中間層１５を介して貼り合わされる（ステップＳ３２）。第０情報記録層１０のバーストカットエリア用領域２２が結晶化される（ステップＳ３６）。第１情報記録層１１に設定されるＢＣＡ１０１にＢＣＡパターンが形成される（ステップＳ３８）。その後、第０情報記録層１０および第１情報記録層１１のデータ記録領域２０の初期化が行われる（ステップＳ３９）。
【００４８】
この方法では、第０情報記録層１０におけるＢＣＡ対向領域部分を全面的に結晶化してから第１情報記録層１１にＢＣＡ形成する。相変化記録膜へのＢＣＡ形成は非晶質状態にある記録膜を部分的に結晶化させることで行われる。そのため、ＢＣＡ対向領域部分を全面的に結晶化させると、その領域にはＢＣＡ形成ができず、第０情報記録層１０に誤ってＢＣＡ形成することはなくなる。したがって、この方法は、図７に示されるように、一度第１情報記録層１１にＢＣＡ形成を試み、第０情報記録層１０にＢＣＡが形成された場合のＢＣＡ再形成に有効である。
【００４９】
すなわち、図７に示されるように、基板１４上に第０情報記録層１０が形成され（ステップＳ４０）、基板１６上に第１情報記録層１１が形成される（ステップＳ４１）。基板１４上に形成された第０情報記録層１０と基板１６上に形成された第１情報記録層１１が中間層１５を介して貼り合わされる（ステップＳ４２）。第１情報記録層１１にＢＣＡパターンの記録が試みられる（ステップＳ４４）。ＢＣＡが第０情報記録層１０に形成された場合（ステップＳ２５−Ｎｏ）、第０情報記録層のバーストカットエリア用領域２２が全面的に結晶化され、誤って形成されたＢＣＡパターンが消去される（ステップＳ４６）。第１情報記録層１１に設定されるＢＣＡ１０１にＢＣＡパターンが形成される（ステップＳ４８）。その後、第０情報記録層１０および第１情報記録層１１のデータ記録領域２０の初期化が行われる（ステップＳ２９）。ＢＣＡは、非晶質状態にある記録膜が断続的に結晶化されることにより形成されるため、記録膜を連続的に結晶化することにより、誤って記録されたＢＣＡパターンは消去されることになる。
【００５０】
以上説明したように、これらの手法によりＢＣＡを有する多層光学的情報記録媒体の良品率を高めることができる。
【００５１】
（実施例１）
多層光学的情報記録媒体として、相変化記録膜を有する２層光学的情報記録媒体を用い、第１情報記録層に対するＢＣＡ形成が試みられた。第０情報記録層および第１情報記録層ともデータ記録領域における案内溝のピッチは０．４μｍであり、ＢＣＡおよびＢＣＡ対向領域はミラー面とした。ＢＣＡは、半径２２．３〜２３．２ｍｍの範囲に設定された。
【００５２】
第０情報記録層は、０．６ｍｍ厚さのポリカーボネート基板上に、誘電体膜、相変化記録膜、誘電体膜、反射膜を順に積層して形成された。第１情報記録層は、０．６ｍｍ厚さのポリカーボネート基板上に、反射膜、誘電体膜、記録膜、誘電体膜を順に積層して形成された。第１情報記録層は、作成された後、第０情報記録層と貼り合わせる前にＢＣＡが形成された。
【００５３】
ＢＣＡパターンを記録するレーザ光として、波長７８０ｎｍの半導体レーザが用いられた。この記録レーザ光の集光用対物レンズの開口数は０．５５であり、集光ビーム径は１μｍ（回転方向）×５０μｍ（半径方向）、最高出力は１．５Ｗとした。
【００５４】
第１情報記録層にＢＣＡパターンが記録された後、第０情報記録層との貼り合わせが行われて多層光学的情報記録媒体が作成された。その媒体において、ＢＣＡパターンの再生が行われ、正しくデータを再生することが可能であった。
【００５５】
本実施例の結果から、第０情報記録層との貼り合わせが行われる前の機械的強度が不足している状態であっても、相変化記録膜を備える第１情報記録層へのＢＣＡパターンの記録を良好に行うことが可能であることが確認できた。ここで、機械的強度が不足する状態とは、貼り合わせ後は記録層厚が１．２ｍｍと十分に厚くなるのに対し、貼り合わせ前は基板厚が０．６ｍｍと薄く、レーザ照射に伴う温度上昇によって変形しやすいという意味である。
【００５６】
なお、相変化記録膜を有する光学的情報記録媒体に対しては、通常、情報記録領域を結晶化（初期化と呼ばれる）させる工程が必要とされる。本実施例では、第１情報記録層のデータ記録領域の結晶化は、第０情報記録層との貼り合わせ後に行った。初期化（結晶化）は、ＢＣＡ形成の工程に引き続いて貼り合わせ前に行われても良いが、高密度の情報が記録される領域の初期化は、機械的な強度が十分に確保され、初期化時にディスクの変形などの問題が起きにくくなる貼り合わせ後に行うことがより望ましい。
【００５７】
（実施例２）
多層光学的情報記録媒体として、相変化記録膜を有する２層光学的情報記録媒体を用い、第１情報記録層に対するＢＣＡ形成が試みられた。第０情報記録層および第１情報記録層ともデータ記録領域における案内溝のピッチは０．４μｍであり、ＢＣＡおよびＢＣＡ対向領域はミラー面とした。ＢＣＡ形成領域は、半径２２．３〜２３．２ｍｍの範囲に設定された。
【００５８】
第０情報記録層は、０．６ｍｍ厚さのポリカーボネート基板上に、誘電体膜、相変化記録膜、誘電体膜、反射膜を順に積層して形成された。第１情報記録層は、０．６ｍｍ厚さのポリカーボネート基板上に、反射膜、誘電体膜、記録膜、誘電体膜を順に積層して形成された。第０情報記録層および第１情報記録層は、紫外線硬化樹脂により貼り合わされ、多層光学的情報記録媒体が作成された。中間層となる紫外線硬化樹脂層の膜厚は２５μｍである。
【００５９】
上記手順で多層光学的情報記録媒体が１００枚作成され、実施例１と同じ初期化装置が使用されて第１情報記録層にＢＣＡ形成が試みられた。１００枚のうちの８０枚の媒体は、狙い通り第１情報記録層にＢＣＡを形成することができた。残り２０枚（ＮＧディスクと呼ぶ）は、ＢＣＡが第０情報記録層に誤って形成されてしまった。ＮＧディスクについては、第０情報記録層にＢＣＡが誤って形成された領域が全て結晶化された後、再度ＢＣＡ形成が試みられた。再形成により、ＢＣＡパターンが第１情報記録層に記録され、かつ、記録されたＢＣＡパターンは正しく再生された。
【００６０】
なお、第０情報記録層に誤って形成されたバーストカットデータを消去する際、誤ってフォーカスサーボが第１情報記録層に投入されると、第１情報記録層のＢＣＡ形成用領域が全て結晶化されてしまうことになる。この場合、データの記録は、相変化記録膜が非晶質化させる必要があり、そのためにはより高いパワーが必要である。さらに、ビーム径の大きな集光ビームでは、仮に相変化記録膜が溶融したとしても、十分な冷却速度が得られず、溶融後室温に戻ったときには非晶質状態にならず結晶状態になってしまう。このように、結晶化された領域にバーストカットデータを記録することは困難である。そのため、第１情報記録層が誤って結晶化されないように、低いレーザパワーでフォーカスサーボを投入し、第０情報記録層にフォーカスサーボが投入されたことを確認してから結晶化用の高いレーザパワーに切り替える必要がある。第０情報記録層に正しくフォーカスサーボが投入されたかどうかは、反射光をモニタすることで確認することが可能である。すなわち、第０情報記録層再生時には誤って形成されたバーストカットデータに対応する反射光変動が観測されるため、反射光変動を確認後、消去用のレーザパワーに切り替えれば良い。
【００６１】
（実施例３）
多層光学的情報記録媒体として、相変化記録膜を有する２層光学的情報記録媒体を用い、第１情報記録層に対するＢＣＡ形成が試みられた。第０情報記録層および第１情報記録層ともデータ記録領域における案内溝のピッチは０．４μｍであり、ＢＣＡ形成領域およびＢＣＡに対向する領域はミラー面とした。ＢＣＡ形成領域は、半径２２．３〜２３．２ｍｍの範囲に設定された。
【００６２】
第０情報記録層は、０．６ｍｍ厚さのポリカーボネート基板上に、誘電体膜、相変化記録膜、誘電体膜、反射膜を順に積層して形成された。第１情報記録層は、０．６ｍｍ厚さのポリカーボネート基板上に、反射膜、誘電体膜、記録膜、誘電体膜を順に積層して形成された。第０情報記録層は、作成された後、第１情報記録層と貼り合わせる前に、ＢＣＡ対向領域（２２．３〜２３．２ｍｍ）が初期化（結晶化）された。その後、紫外線硬化樹脂層により第１情報記録層との貼り合わせが行われた。
【００６３】
このようにして作成された光学的情報記録媒体３０枚に対してＢＣＡ形成が試みられた。３０枚のうちの５枚の光学的情報記録媒体において、フォーカスサーボが第０情報記録層に誤って投入された。しかし、ＢＣＡ対向領域は、既に結晶化済みであったため、変化は生じなかった。フォーカスサーボが第０情報記録層に誤って投入されたかどうかは、バーストカットデータが記録されたかどうかで確認することが可能である。すなわち、バーストカットデータが再生できない場合、フォーカスサーボが第０情報記録層に誤って投入されたことを示す。これら５枚の光学的情報記録媒体については再度ＢＣＡの形成が試みられ、第１情報記録層に正しくＢＣＡを形成することができた。
【００６４】
本実施例では、第０情報記録層のデータ記録領域の結晶化（初期化）は、第１情報記録層との貼り合わせ後に行われた。データ記録領域の初期化工程は、ＢＣＡ形成の工程に続けて貼り合わせ工程前に行われても良いが、高密度の情報が記録される領域の初期化は、機械的な強度が十分に確保されて初期化時にディスクの変形などの問題が起きにくい貼り合わせ後に行うことがより望ましい。
【図面の簡単な説明】
【００６５】
【図１】本発明に係る光学的情報記録媒体およびＢＣＡを説明する図である。
【図２】本発明に係る光学的情報記録媒体の断面を示す図である。
【図３】光入射面とフォーカスエラー信号の関係を示す図である。
【図４】本発明に係るＢＣＡ作成手順（１）を説明する図である。
【図５】本発明に係るＢＣＡ作成手順（２）を説明する図である。
【図６】本発明に係るＢＣＡ作成手順（３）を説明する図である。
【図７】本発明に係るＢＣＡ作成手順（４）を説明する図である。
【符号の説明】
【００６６】
１  光学的情報記録媒体
１０、１１  情報記録層
１４、１６  基板
１５  中間層
２０  光学的情報記録領域
２２  バーストカットエリア用領域
１０１  バーストカットエリア
１０２  ＢＣＡ対向領域
【図１】
2007305200.tif 000003
【図２】
2007305200.tif 000004
【図３】
2007305200.tif 000005
【図４】
2007305200.tif 000006
【図５】
2007305200.tif 000007
【図６】
2007305200.tif 000008
【図７】
2007305200.tif 000009